(57)【要約】【課題】  着用感に優れるとともに裾部分の着くずれを効果的に防止することができるボトム衣類を提供する。【解決手段】  伸縮性のボトム本体部１０１と、ボトム本体部１０１において臀部を覆う後部分１０１Ｂの少なくとも裾部分に配置される帯状の伸縮性の当て布部材１０２とを含み、当て布部材１０２の下端部は、臀溝部の位置になるように配置され、当て布部材１０２とボトム本体部１０１とは、複数の接着領域１１０と非接着領域１２０とを介して重ね合わされており、当て布部材１０２は、長さ方向の端部を除く領域で、幅方向および長さ方向の任意の直線上において、非接着領域１２０が存在するように接着領域１１０が配置され、当て布部材１０２の上端部および下端部には、非接着領域１２０のみが存在しており、当て布部材１０２の下端部から幅方向上部に向かうに従って、接着領域１１０の割合が大きくなっている。【選択図】  図２
2020070528.tif 000002
【特許請求の範囲】
【請求項１】
伸縮性のボトム本体部と、ボトム本体部において臀部を覆う後部分の少なくとも裾部分に配置される帯状の伸縮性の当て布部材とを含み、
前記当て布部材の下端部は、臀溝部の位置になるように配置され、
前記当て布部材と前記ボトム本体部とは、複数の接着領域と非接着領域とを介して重ね合わされており、
前記当て布部材は、長さ方向の端部を除く領域で、幅方向および長さ方向の任意の直線上において、前記非接着領域が存在するように前記接着領域が配置され、
前記当て布部材の上端部および下端部には、非接着領域のみが存在しており、
前記当て布部材の下端部から幅方向上部に向かうに従って、前記接着領域の割合が大きくなっていることを特徴とする、ボトム衣類。
【請求項２】
前記接着領域の割合が、前記当て布部材の幅方向中央付近で最大となり、前記幅方向中央付近から上端部に向かうに従って小さくなっていることを特徴とする、請求項１記載のボトム衣類。
【請求項３】
前記ボトム本体部と前記当て布部材とは、下端部同士が揃わないように重ねられており、
前記当て布部材の下端部は、前記ボトム本体部の下端部よりも内側に入った位置に配置されていることを特徴とする、請求項１または２記載のボトム衣類。
【請求項４】
前記接着領域は、ドット状の接着部から形成されていることを特徴とする、請求項１から３のいずれか一項に記載のボトム衣類。
【請求項５】
前記接着領域がハート形状であることを特徴とする、請求項１から４のいずれか一項に記載のボトム衣類。
【請求項６】
衣類がショーツであることを特徴とする、請求項１から５のいずれか一項に記載のボトム衣類。
【発明の詳細な説明】
【技術分野】
【０００１】
本発明は、ボトム衣類に関する。
【背景技術】
【０００２】
従来、ショーツ等のボトム衣類においては、裾のずり上がり、食い込みおよびめくれ等の、裾部分の着くずれが生じやすいという問題がある。ショーツ等の裾がずり上がったり、食い込んだりすると、着用者に不快感を与え、また、ヒップラインのシルエットが悪くなる。着用時のずれや着心地を改善するために、裾部分に低伸縮部を設け、前記低伸縮部をジグザグ形状に形成することで伸度を調整して、着用時のヒップ段差等の違和感やずれを防止しようとするものが提案されている（例えば、特許文献１、２参照）。
【先行技術文献】
【特許文献】
【０００３】
【特許文献１】登録実用新案第３０１４３１９号公報
【特許文献２】特開２０１４−１８９９１９号公報
【発明の概要】
【発明が解決しようとする課題】
【０００４】
しかし、前記特許文献１記載の技術によっても、裾のずれ上がりの防止は十分とは言えず、裾部分の着くずれを防止するには不十分であった。また、前記特許文献２記載の技術は、臀溝より下方の部分が必要な構造であるため、後部分の裾が臀溝位置付近となるようなショート丈のボトム衣類には適用できなかった。そこで、本発明は、後部分の裾が臀溝付近となるようなショート丈のボトム衣類においても、着用感に優れるとともに裾部分の着くずれを効果的に防止することができるボトム衣類を提供することを目的とする。
【課題を解決するための手段】
【０００５】
前記目的を達成するために、本発明のボトム衣類は、
伸縮性のボトム本体部と、ボトム本体部において臀部を覆う後部分の少なくとも裾部分に配置される帯状の伸縮性の当て布部材とを含み、
前記当て布部材の下端部は、臀溝部の位置になるように配置され、
前記当て布部材と前記ボトム本体部とは、複数の接着領域と非接着領域とを介して重ね合わされており、
前記当て布部材は、長さ方向の端部を除く領域で、幅方向および長さ方向の任意の直線上において、前記非接着領域が存在するように前記接着領域が配置され、
前記当て布部材の上端部および下端部には、前記非接着領域のみが存在しており、
前記当て布部材の下端部から幅方向上部に向かうに従って、前記接着領域の割合が大きくなっていることを特徴とする。
【発明の効果】
【０００６】
本発明によれば、着用感に優れるとともに裾部分の着くずれを効果的に防止することができるボトム衣類を提供することができる。
【図面の簡単な説明】
【０００７】
【図１】図１は、本発明のボトム衣類の一例である、第１の実施形態に係るショーツの図である。図１（Ａ）は正面図、図１（Ｂ）は裏返した状態の背面図、図１（Ｃ）は背面斜視図である。
【図２】図２は、第１の実施形態に係るショーツのパターンを示す図である。
【図３】図３は、当て布部材における接着剤の塗布パターンの一例を示す図である。
【図４】図４は、ドット状の接着部から形成されている接着領域の一例を示す図である。
【図５】図５は、当て布部材の変形例を示す図である。
【発明を実施するための形態】
【０００８】
本発明のボトム衣類において、前記接着領域の割合が、前記当て布部材の幅方向中央付近で最大となり、前記幅方向中央付近から上端部に向かうに従って小さくなっていることが好ましい。
【０００９】
本発明のボトム衣類において、前記ボトム本体部と前記当て布部材とは、下端部同士が揃わないように重ねられており、前記当て布部材の下端部は、前記ボトム本体部の下端部よりも内側に入った位置に配置されていることが好ましい。
【００１０】
本発明のボトム衣類において、前記接着領域は、ドット状の接着部から形成されていることが好ましい。
【００１１】
本発明のボトム衣類において、前記接着領域がハート形状であることが好ましい。
【００１２】
本発明のボトム衣類は、ショーツであることが好ましい。
【００１３】
本発明のボトム衣類について、例をあげて説明する。ただし、本発明は、以下の例に限定および制限されない。
【００１４】
（第１の実施形態）
図１に、本発明のボトム衣類の第１の実施形態に係るショーツ１００の図を、図２に、本発明のボトム衣類の第１の実施形態に係るショーツ１００のパターンの図を示す。図１（Ａ）は、ショーツ１００の正面図、図１（Ｂ）は裏返した状態の背面図、図１（Ｃ）は背面斜視図である。本実施形態のショーツ１００は、臀部を覆う後部分１０１Ｂと、後部分１０１Ｂに向かい合う前部分１０１Ａとで構成される伸縮性のボトム本体部１０１と、帯状の伸縮性の当て布部材１０２とを含んでいる。帯状の伸縮性の当て布部材１０２は、後部分１０１Ｂの内側（着用時に肌側となる側）の少なくとも裾部分に、当て布部材１０２の下端部が臀溝部の位置になるように配置されている。なお、本発明のボトム衣類における当て部材１０２の下端部が配置される「臀溝部の位置」とは、臀溝部の位置から少しずれた位置も含むものとする。これは、着用者の体形は様々であり、すべての着用者の臀溝部の位置に完全に一致するように当て部材１０２の下端部を配置することは現実的ではないためである。本実施形態では当て布部材１０２はボトム本体部１０１の内側に配置されているが、本発明はこれに限定されず、当て布部材１０２をボトム本体部１０１の外側（着用時に表面となる側）に配置してもよい。当て布部材１０２をボトム本体部１０１の外側に配置すると、着用時の肌側面が平滑になるため、肌当たりをよくすることができる。本実施形態のショーツ１００は、クロッチ部１０３を有している。
【００１５】
当て布部材１０２とボトム本体部１０１とは、接着剤によって貼着されている。図２および図３に、当て布部材１０２における接着剤の塗布パターンの一例を示す。図２においては、説明をわかりやすくするため、塗布パターンの一部を省略して図示している。図中の二点鎖線で囲まれた部分が、接着剤が存在する接着領域１１０であり、その他の領域は接着剤が存在しない非接着領域１２０である。このように、当て布部材１０２には接着剤を全面に塗布せず、所定のパターン形状に塗布してボトム本体部と貼着する。したがって、当て布部材１０２とボトム本体部１０１とは複数の接着領域１１０と非接着領域１２０とを介して重ね合わされている。帯状の当て布部材１０２の長さ方向の端部では、当て布部材１０２の確実な固定を目的として幅方向のほぼ全体に亘り接着領域１１０（三角形状）が配置されているが、前記端部を除く領域では、幅方向および長さ方向の任意の直線状において、非接着領域１２０（空隙部）が存在するように接着領域１１０が配置されている。すなわち、当て布部材１０２において、縦横いずれの方向においても、接着領域１１０は帯状（連続的）には存在しておらず、接着剤が存在しない空隙部によって分断されている。
【００１６】
ボトム本体部１０１および当て布部材１０２は、いずれも伸縮性を有する素材により構成されている。ボトム本体部１０１と当て布部材１０２とを重ね合わせることにより、重ね合わせ部分の伸縮はボトム本体部１０１のみの部分の伸縮に比べて抑制することができる。さらに、ボトム本体部１０１と当て布部材１０２との間に接着剤が存在すると、接着剤が存在する領域では、伸縮をさらに抑制することができる。本発明における接着領域１１０が前記接着剤が存在する領域であり、非接着領域１２０が前記重ね合わせ部分の領域であり、ボトム本体部１０１のみの部分、非接着領域１２０、接着領域１１０の順に３段階で伸びを小さくすることができる。
【００１７】
当て布部材１０２の上端部および下端部では、縁に沿うように非接着領域１２０のみが存在しており、さらに、当て布部材１０２の下端部から幅方向上部に向かうに従って、接着領域１１０の割合が大きくなっている。当て布部材１０２の端部（本体部１０１との重なりの境界部）が、本体部１０１に接着剤で固着されていないことで、境界部において急激ではなく段階的に伸縮性を変化させることができる。そして、当て布部材１０２の下端部から幅方向上部に向かうに従って、接着領域１１０の割合を増加させることで、ショーツ１００の裾からヒップに向かう方向で、徐々に横方向（当て布部材１０２の長さ方向）の伸びを低減させることができる。ここで、「上」「下」とは、着用状態における上下方向をいう。また、接着領域１１０の割合とは、図２に示すように、当て布部材１０２の下端部の縁と略平行である長さＬｃｍの直線が幅方向上部に長さｗｃｍ移動する際の面積Ｓ０（＝Ｌ×ｗ）を基準面積とし、前記基準面積Ｓ０当たりの接着領域１１０の面積Ｓ１の割合（Ｓ１／Ｓ０×１００）をいう。前記Ｌの長さは、当て布部材の長さに応じて設定する。
【００１８】
当て布部材１０２の下端部は、臀溝部の位置になるように配置されているので、臀溝部から上に向かって徐々に伸縮を抑制することになる。したがって、皮膚の伸びが最も大きい臀溝部では伸びが大きく、臀溝部から離れるに従い皮膚の伸びに対応して徐々に伸びを小さくすることができる。このように、身体の皮膚の伸びやすさに合わせた裾部分の伸び設計を行うことで、身体の動きと衣類の伸びが合致し、着用時におけるショーツ１００の裾部分のずり上がりを防止することができる。臀溝部から上に向かって徐々に伸縮を抑制する領域の長さ（臀溝部からの距離）は、２０ｍｍ〜５０ｍｍの範囲内にあることが好ましい。
【００１９】
さらに、接着領域１１０の割合を、当て布部材１０２の幅方向中央付近で最大となるようにし、前記幅方向中央付近から当て布部材１０２の上端部に向かうに従って小さくなっていくようにすると、当て布部材１０２の上端部におけるショーツ１００のヒップへの食い込みも防止することができる。ここで、幅方向中央付近とは、当て部材１０２の幅をＷとした場合、幅方向中央を中心とした１／３Ｗの幅方向の範囲である。当て布部材１０２の幅Ｗは、３０ｍｍ〜７５ｍｍの範囲内にあることが好ましい。
【００２０】
裾のずれ上がりを防止するために、裾部分に帯状に連続した伸縮抑制部（接着領域１１０）を設けた場合、面内に付与される力は均一となる。さらに、全体が接着剤で接着されることで、形状も変形しにくくなる。そのため、身体の動作に追随しにくく、皮膚が伸びる部分では身体への食い込みが生じたり、衣類にしわやつっぱりが生じたりしやすい。さらに、着用時に曲率の高くなる部位において力が集中して、肉が押し出されて帯状の周辺にはみだす、いわゆる「肉段」が形成されてしまう。そして、帯状部全体が伸びにくいため、窮屈な着用感となりがちである。
【００２１】
それに対して、本発明における当て布部材１０２の接着構造では、複数の接着領域１１０が間隔をあけて非連続に配置されるとともに伸縮が徐々に変化する構成となっている。非接着領域１２０には接着剤が存在しないので、当て布部材１０２とボトム本体部１０１とが接着固定されている接着領域１１０よりも伸縮性を高くすることができる。そして、各接着領域１１０で押さえた力が夫々の端部で分散するため、肉段は形成されにくくなる。また、当て布部材１０２の面形状が変形しやすいため、身体の動作にも追随しやすく、着用感にも優れて裾部分の着くずれも効果的に防止することができる。
【００２２】
接着領域１１０は、領域全体に接着剤を配置してもよいが、ドット状の接着部から形成されていることがより好ましい。ドット状の接着部から形成されている接着領域１１０の一例を図４に示す。図４は、ハート形状の接着領域１１０を、ドット状の接着部１１１と略ドット状の接着部１１２との２種類の接着部で形成した例である。接着領域１１０におけるハート形状の先端部は、接着部１１２のように面積を大きくすることにより、剥離強度を高めることができる。接着領域１１０の全面に接着剤を塗布する場合、接着領域１１０の形状や接着剤の材質によっては、接着剤が広い面積で存在することによる着用時の違和感（硬い部分が存在するなど）や、伸びの分布の偏りが外観に現れるといった現象が発生する場合がある。しかし、ドット状の接着部の組み合わせで接着領域１１０を形成すると、接着領域１１０の伸縮は抑制しつつ、前記の違和感や外観上の問題を解消することができ、好ましい。ドット状の接着部の直径は、１．０ｍｍ〜５．０ｍｍの範囲内にあることが好ましい。また、各ドット間の間隙は、０．２ｍｍ〜２．０ｍｍの範囲内にあることが好ましい。
【００２３】
ここで、接着領域１１０がドット状の接着部から形成されている場合、接着領域１１０の割合を算出する際の面積Ｓ１は、実際の接着面積（ドット状の接着部の面積の合計）を用いるものとする。
【００２４】
本実施形態のショーツ１００では、ボトム本体部１０１と当て布部材１０２とは、下端部同士が揃わないように、当て布部材１０２がボトム本体部１０１の内側に入った位置で重ねられている。上述のように、当て布部材１０２の下端部（縁部）はボトム本体部１０１と接着されていないため、当て布部材１０２が着用時に肌と密着するなどしてボトム本体部１０１の端部とズレが生じる場合もあり得る。このような場合、端部がぴったり揃っていると、着用時に内側となる当て布部材１０２の端部が外側にはみ出して見えてしまう場合がある。そこで、前記下端部同士は揃わないように、かつ、当て布部材１０２の下端部はボトム本体部１０１の下端部よりも内側に入った位置に配置することが好ましい。このとき、前記下端部において当て布部材１０２は、０．５ｍｍ〜５．０ｍｍの範囲内で内側に配置されることが好ましい。
【００２５】
図３に示すように、接着領域１１０は、例えばハート形の形状であることが好ましい。ハート形の形状の場合、図示したように組み合わせて配置すると、接着領域１１０間には、三角形状の曲線的な非接着領域１２０を形成することができる。当て布部材１０２の下端部から上部に向かうにつれて、隣接する接着領域１１０間で曲線的な空隙ができるので、スムージング効果を奏することができ好ましい。また、当て布部材１０２の幅方向中央付近では、ハート形状の接着領域１１０を対向するように配置すると、対向する部分が凸形状同士の組み合わせとなり、非接着領域１２０の形状が直線的にならず、食い込みや段差が生じにくくなり、好ましい。これらの機能的な効果に加え、視覚的にも接着領域を模様と見立てることができるなど、意匠性を優れたものとすることができる点でも好ましい。なお、本実施形態では、接着領域がハート形状であるが、本発明はこれに限定されるものではなく、スペード形状、クローバー形状、ダイヤ形状、三角形状等の形状とすることもできる。
【００２６】
本実施形態において、ボトム本体部１０１および当て布部材１０２の各部材に使用できる生地は、伸縮性を有していれば特に制限されないが、緯編地または経編地があげられ、例えば、スムース、フライス、天竺、トリコット、ラッセル等があげられる。ボトム本体部１０１および当て布部材１０２は、同じ素材を用いてもよいし、異なる素材を用いることもできる。また、クロッチ部１０３には、ボトム本体部１０１または当て布部材１０２と同じ生地を用いることができるが、肌側に綿素材等の当て布を設けてもよい。
【００２７】
なお、図２のパターン図において、当て布部材１０２は、クロッチ部１０３の後方を通るように左右が一体となった形状であるが、本発明はこれに限定されるものではない。当て布部材１０２は、ボトム本体部１０１において臀部を覆う後部分１０１Ｂの少なくとも裾部分に配置されていればよく、図５に示すように、左右が分かれて、別部材で構成されている当て布部材２０２であってもよい。ただし、左右一体で形成することにより、左右を別部材とする場合と比較して、端部が左右両端のみなので、臀裂付近での固定のための広い接着領域を設けなくてもよく、伸縮の調整が可能な領域が増えるため、好ましい。
【００２８】
以上のように形成することにより、着用感に優れるとともに裾部分の着くずれを効果的に防止できるショーツを得ることができた。
【００２９】
以上、実施の形態の具体例として、ショーツをあげて本発明を説明したが、本発明のボトム衣類は、これらの具体例で記載されたもののみに限定されるものではなく、種々の態様が可能である。例えば、上記の実施形態のような衣類以外にも、ガードル、ボディースーツ等のファンデーション衣類や、水着、レオタード、スポーツ衣類、アウターなど、その他各種の衣類に適用できる。また、本発明は、デイリー用のショーツのみではなく、例えば、生理用ショーツ、軽失禁防止用ショーツにも適用できる。
【符号の説明】
【００３０】
１００  ショーツ
１０１  ボトム本体部
１０１Ａ  本体部の前部分
１０１Ｂ  本体部の後部分
１０２、２０２  当て布部材
１０３  クロッチ部
１１０  接着領域
１１１  ドット状の接着部
１１２  略ドット状の接着部
１２０  非接着領域
【図１】
2020070528.tif 000003
【図２】
2020070528.tif 000004
【図３】
2020070528.tif 000005
【図４】
2020070528.tif 000006
【図５】
2020070528.tif 000007